(57)【要約】【課題】用紙の第１の方向の長さに応じて、第１の規制部材が用紙を規制する位置を簡便な操作で変更することができる用紙収容装置及び画像形成装置を提供する。【解決手段】用紙収容装置としての給紙トレイ２は、内部に用紙が積載可能な筐体２０と、第１の方向１０Ａに移動可能であって、左側面部２０ｃとの間で用紙の第１の方向１０Ａの位置を規制するエンドガイド２１と、第１の方向１０Ａに移動可能であって、用紙の第１の方向１０Ａと交差する第２の方向１０Ｂの位置を規制する一対のサイドガイド２２Ａ，２２Ｂとを備える。【選択図】図２
2010189085.tif 000002
【特許請求の範囲】
【請求項１】
内部に用紙が積載可能な筐体と、
第１の方向に一方が移動可能であって他方が固定され、前記用紙の前記第１の方向の位置を規制する一対の第１の規制部材と、
前記第１の方向に移動可能であって、前記用紙の前記第１の方向と交差する第２の方向の位置を規制する一対の第２の規制部材とを備えた用紙収容装置。
【請求項２】
さらに、前記第１の方向への前記第１の規制部材の移動に連動して、前記第１の規制部材が移動された方向に前記第２の規制部材を移動させる移動機構を備えた請求項１に記載の用紙収容装置。
【請求項３】
前記移動機構は、前記第１の規制部材が移動されとき、その移動距離よりも短く前記第２の規制部材を移動させる請求項２に記載の用紙収容装置。
【請求項４】
前記第１の方向は、前記筐体が前記用紙を供給する供給対象に挿抜される方向と交差する方向である請求項１に記載の用紙収容装置。
【請求項５】
前記第１の規制部材は、前記第１の規制部材の前記第１の方向の長さを延長する延長部材を有する請求項１に記載の用紙収容装置。
【請求項６】
前記第１の規制部材は、前記第２の方向に移動可能である請求項１に記載の用紙収容装置。
【請求項７】
用紙収容装置を収納する収納部、及び前記用紙収容装置から供給された用紙に画像を形成する画像形成部を有する装置本体と、
前記装置本体が有する前記収納部に挿抜可能に収納されて、内部に前記用紙が積載可能な筐体、前記筐体が挿抜される方向と交差する第１の方向に一方が移動可能であって他方が固定され、前記用紙の前記第１の方向の位置を規制する一対の第１の規制部材、及び前記第１の方向に移動可能であって、前記用紙の前記第１の方向と交差する第２の方向の位置を規制する一対の第２の規制部材を有する用紙収容装置を備えた画像形成装置。
【発明の詳細な説明】
【技術分野】
【０００１】
本発明は、用紙収容装置及び画像形成装置に関する。
【背景技術】
【０００２】
従来、複数サイズの用紙を複写機へ供給するために複写機に脱着される給紙トレイが知られている（例えば、特許文献１参照。）。
【０００３】
この給紙トレイは、トレイセット方向に移動可能なフェンスと、そのフェンスとは別に設けられて、積載し得る最大サイズの用紙のトレイセット方向に用紙を押さえる大サイズフェンスとを有し、その大サイズフェンスが給紙トレイに脱着可能に構成されている。
【先行技術文献】
【特許文献】
【０００４】
【特許文献１】特開平１１−１９３１３４号公報
【発明の概要】
【発明が解決しようとする課題】
【０００５】
本発明の目的は、用紙の第１の方向の長さに応じて、第１の規制部材が用紙を規制する位置を簡便な操作で変更することができる用紙収容装置及び画像形成装置を提供することにある。
【課題を解決するための手段】
【０００６】
本発明の一態様は、上記目的を達成するため、以下の用紙収容装置及び画像形成装置を提供する。
【０００７】
［１］内部に用紙が積載可能な筐体と、第１の方向に一方が移動可能であって他方が固定され、前記用紙の前記第１の方向の位置を規制する一対の第１の規制部材と、前記第１の方向に移動可能であって、前記用紙の前記第１の方向と交差する第２の方向の位置を規制する一対の第２の規制部材とを備えた用紙収容装置。
【０００８】
［２］さらに、前記第１の方向への前記第１の規制部材の移動に連動して、前記第１の規制部材が移動された方向に前記第２の規制部材を移動させる移動機構を備えた前記［１］に記載の用紙収容装置。
【０００９】
［３］前記移動機構は、前記第１の規制部材が移動されとき、その移動距離よりも短く前記第２の規制部材を移動させる前記［２］に記載の用紙収容装置。
【００１０】
［４］前記第１の方向は、前記筐体が前記用紙を供給する供給対象に挿抜される方向と交差する方向である前記［１］に記載の用紙収容装置。
【００１１】
［５］前記第１の規制部材は、前記第１の規制部材の前記第１の方向の長さを延長する延長部材を有する前記［１］に記載の用紙収容装置。
【００１２】
［６］前記第１の規制部材は、前記第２の方向に移動可能である前記［１］に記載の用紙収容装置。
【００１３】
［７］用紙収容装置を収納する収納部、及び前記用紙収容装置から供給された用紙に画像を形成する画像形成部を有する装置本体と、前記装置本体が有する前記収納部に挿抜可能に収納されて、内部に前記用紙が積載可能な筐体、前記筐体が挿抜される方向と交差する第１の方向に一方が移動可能であって他方が固定され、前記用紙の前記第１の方向の位置を規制する一対の第１の規制部材、及び前記第１の方向に移動可能であって、前記用紙の前記第１の方向と交差する第２の方向の位置を規制する一対の第２の規制部材を有する用紙収容装置を備えた画像形成装置。
【発明の効果】
【００１４】
請求項１，７に係る発明によれば、用紙の第１の方向の長さに応じて、第１の規制部材が用紙を規制する位置を簡便な操作で変更することができる。
【００１５】
請求項２に係る発明によれば、第１の規制部材を第１の方向に移動する手間を省略することができる。
【００１６】
請求項３に係る発明によれば、用紙の第１の方向の長さが異なる場合でも、例えば、用紙の第１の方向の中央部のような用紙の特定位置を規制することができる。
【００１７】
請求項４に係る発明によれば、筐体を供給対象に挿入したときの衝撃により用紙が第２の方向に傾くことを防ぐことができる。
【００１８】
請求項５に係る発明によれば、用紙の第１の方向の長さに応じて、第１の規制部材が用紙を規制する距離を変更することができる。
【００１９】
請求項６に係る発明によれば、用紙の第２の方向の長さに応じて、第１の規制部材の第２の方向の間隔を調整することができる。
【図面の簡単な説明】
【００２０】
【図１】図１は、本発明の第１の実施の形態に係る画像形成装置の外観を示す正面図である。
【図２】図２は、本発明の第１の実施の形態に係る給紙トレイの概略構成例を示す斜視図である。
【図３】図３は、図２のＡ−Ａ線断面図である。
【図４】図４は、給紙トレイの分解斜視図である。
【図５】図５（ａ）〜（ｃ）は、本発明の第１の実施の形態に係る給紙トレイに、第１の方向の長さが順に長くなる３種類の用紙をそれぞれ積載したときの積載状態を示す概略図である。
【図６】図６は、本発明の第２の実施の形態に係る給紙トレイのサイドガイドを示す斜視図である。
【図７】図７（ａ）〜（ｃ）は、本発明の第２の実施の形態に係る給紙トレイに、第１の方向の長さが順に長くなる３種類の用紙をそれぞれ積載したときの積載状態を示す概略図である。
【発明を実施するための形態】
【００２１】
［第１の実施の形態］
図１は、本発明の第１の実施の形態に係る画像形成装置の外観を示す正面図である。画像形成装置１００は、例えば、複写機、プリンタ、スキャナ等の複数の機能を有する複合機である。なお、画像形成装置１００の代わりに、単一の機能を有する複写機又はプリンタでもよい。
【００２２】
画像形成装置１００は、本体部（装置本体）１と、本体部１の前部に収納された２つの給紙トレイ（用紙収容装置）２と、本体部１の側面に設けられた開閉式の手差しトレイ３と、この手差しトレイ３の上側に設けられ、原稿が排紙される排紙トレイ４Ａと、本体部１の空間部に設けられ、印刷された用紙が排紙される排紙部４Ｂと、本体部１の上面に設けられて印刷指示情報の入力、及び情報表示等に用いられる操作表示部５と、本体部１の上部に設置されたＡＤＦ（自動原稿給紙装置）６とを備える。
【００２３】
本体部１は、給紙トレイ２を挿抜可能に収納する収納部と、用紙上の画像を光学的に読み取る画像読取部と、給紙トレイ２から供給された用紙上に画像を形成する画像形成部と、用紙を所定の搬送路に沿って搬送する用紙搬送部と、画像形成装置１００の各部に電源を供給する電源装置（いずれも図示せず）等を備えて構成されている。なお、本体部１は、オフィス、社内等に設置された複数のパーソナルコンピュータ（ＰＣ）にローカルエリアネットワーク（ＬＡＮ）等のネットワークを介して接続されていていてもよい。
【００２４】
給紙トレイ２は、本体部１の収納部に挿抜可能に収納されるとともに、Ａ４、Ｂ４、Ｂ５、リーガル（８．５×１４インチ）等の各種規格に対応したサイズの異なる用紙が内部に積載可能となっている。給紙トレイ２の数は、１つでもよいし、３つ以上でもよい。
【００２５】
手差しトレイ３は、給紙トレイ２に収容されている用紙とは異なるサイズや普段用いないオーバーヘッドプロジェクター（ＯＨＰ）シートや色付きの用紙等を使用したいとき、給紙トレイ２に使用希望の用紙が用紙切れのとき、又は指定した用紙が給紙トレイ２に収容されていないとき等に用いられるもので、通常は、本体部１へ閉じられている。
【００２６】
排紙部４Ｂは、画像形成部により印刷された用紙を順次重ねるようにして排紙する構成になっている。
【００２７】
ＡＤＦ６は、複数枚の原稿（図示せず）を一括してセット可能な原稿トレイ６０を有し、この原稿トレイ６０から原稿を１枚ずつ画像入力部の読み取り位置（図示せず）へ自動的に搬送して読み取りを行うとともに、先行の原稿の読み取りが完了すると次の原稿を原稿トレイ６０から搬送する構成を有する。
【００２８】
（給紙トレイの構成）
図２は、本発明の第１の実施の形態に係る給紙トレイの概略構成例を示す斜視図である。図３は、図２のＡ−Ａ線断面図である。図４は、図２に示す給紙トレイの分解斜視図である。
【００２９】
給紙トレイ２は、画像形成装置１００の本体部１に収納され、内部に用紙が積載可能な筐体２０と、筐体２０の第１の方向１０Ａに移動可能であって、用紙の第１の方向１０Ａの位置を規制するエンドガイド（第１の規制部材）２１と、第１の方向１０Ａに移動可能であって、用紙の第２の方向１０Ｂの位置を規制する一対のサイドガイド（第２の規制部材）２２Ａ，２２Ｂと、第１の方向１０Ａへのエンドガイド２１の移動に連動して、エンドガイド２１が移動された方向に一対のサイドガイド２２Ａ，２２Ｂを移動させる移動機構２３と、サイドガイド２２Ａ，２２Ｂ上に配置されて、用紙が積載される用紙プレート２４とを備えて構成されている。
【００３０】
本実施の形態では、第１の方向１０Ａは、筐体２０が本体部１に挿抜される方向と交差する方向であるが、第１の方向１０Ａが、筐体２０が本体部１に挿抜される方向と同一でもよい。なお、移動機構２３は省略してもよく、この場合には、操作者が用紙の第１の方向１０Ａの長さに合わせて一対のサイドガイド２２Ａ，２２Ｂを第１の方向１０Ａに動かせばよい。
【００３１】
筐体２０は、図２に示すように、全体が上方に略矩形の開口を有し、前面部２０ａ、後面部２０ｂ、左側面部２０ｃ、右側面部２０ｄ及び底面部２０ｅからなる箱状に形成されている。
【００３２】
筐体２０の前面部２０ａには、図２に示すように、挿抜捜査用の把手２００が設けられている。また、筐体２０の底面部２０ｅには、図３及び図４に示すように、平面凸字状の凹部２０１が形成されており、凹部２０１の底面には、３つの長溝２０２Ａ〜２０２Ｃが第１の方向１０Ａに略平行に配列されるとともに、凹部２０１の第２の方向１０Ｂの前側側面及び後側側面には、２つのピニオンラック２０３Ａ，２０３Ｂがそれぞれ設けられている。
【００３３】
エンドガイド２１は、用紙に接触するガイド部２１０と、ガイド部２１０に垂直に設けられた平面矩形状のベース部２１１とを有し、ガイド部２１０が設けられたベース部２１１の反対側には、後述する連動プレートが取り付けられている。なお、本実施の形態では、エンドガイド２１は、筐体２０の左側面部２０ｃとの間で用紙の第１の方向１０Ａの位置を規制し、エンドガイド２１と左側面部２０ｃとが、一対の第１の規制部材を構成する。
【００３４】
一対のサイドガイド２２Ａ，２２Ｂは、用紙に接触するガイド部２２０と、ガイド部２２０に垂直に設けられた平面Ｌ字上のベース部２２１とをそれぞれ有する。
【００３５】
また、一対のサイドガイド２２Ａ，２２Ｂには、図４に示すように、ベース部２２１の対向する側面にピニオンラック２２２が設けられるとともに、ベース部２２１に囲まれた中央の位置にピニオンラック２２２に噛み合わされたピニオンギア２２３が配置されており、後述する支持プレート上に第２の方向１０Ｂに移動可能に取り付けられている。すなわち、一対のサイドガイド２２Ａ，２２Ｂのうち一方のサイドガイドが、第２の方向１０Ｂに移動されると、その移動がピニオンラック２２２及びピニオンギア２２３を介して他方のサイドガイドに伝達されることにより、一対のサイドガイド２２Ａ，２２Ｂの間隔が変更される。
【００３６】
移動機構２３は、筐体２０の凹部２０１に配置されるとともにエンドガイド２１に取り付けられた平面長方形状の連動プレート２３０と、連動プレート２３０の第２の方向１０Ｂの前側側面及び後側側面に設けられた２つのピニオンラック２３１Ａ，２３１Ｂと、このピニオンラック２３１Ａ，２３１Ｂと筐体２０の底面部２０ｅに設けられたピニオンラック２０３Ａ，２０３Ｂとの間にそれぞれ配置された２つのピニオンギア２３２Ａ，２３２Ｂと、２つのピニオンギア２３２Ａ，２３２Ｂの中心部２３２ａをそれぞれ貫通する２つのシャフト２３３Ａ，２３３Ｂと、一対のサイドガイド２２Ａ，２２Ｂを支持するとともに、２つのシャフト２３３Ａ，２３３Ｂに固定された支持プレート２３４とを有する。
【００３７】
連動プレート２３０の裏側には、図３に示すように、リブ２３０ａが設けられており、リブ２３０ａは、筐体２０の長溝２０２Ａにスライド可能に嵌めこまれている。また、２つのシャフト２３３Ａ，２３３Ｂは、図３に示すように、ピニオンギア２３２Ａ，２３２Ｂの下側に脱落防止用のＥリング２３３ａが取り付けられるとともに、筐体２０の長溝２０２Ｂ，２０２Ｃにスライド可能にそれぞれ嵌めこまれている。
【００３８】
ピニオンギア２３２Ａ，２３２Ｂは、図３に示すように、連動プレート２３０のピニオンラック２３１Ａ，２３１Ｂと、筐体２０のピニオンラック２０３Ａ，２０３Ｂとにそれぞれ噛み合わされている。ピニオンギア２３２Ａ，２３２Ｂは、エンドガイド２１が第１の方向１０Ａに沿って移動されると、エンドガイド２１に取り付けられた連動プレート２３０のピニオンラック２３１Ａ，２３１Ｂと、筐体２０のピニオンラック２０３Ａ，２０３Ｂとの間で回転移動する。そして、そのピニオンギア２３２Ａ，２３２Ｂの回転移動によりピニオンギア２３２Ａ，２３２Ｂの中心部２３２ａが直線移動した分だけ、シャフト２３３Ａ，２３３Ｂを介して支持プレート２３４上の一対のサイドガイド２２Ａ，２２Ｂは、エンドガイド２１が移動された同一方向に移動される。
【００３９】
また、ピニオンギア２３２Ａ，２３２Ｂは、エンドガイド２１が移動されたときの移動距離よりも、そのエンドガイド２１の移動に連動して一対のサイドガイド２２Ａ，２２Ｂが移動される移動距離が短くなるように、例えば、前者の移動距離と後者の移動距離との比が２：１程度となるように、その直径が決められている。
【００４０】
用紙プレート２４は、図２に示すように、給紙側１１に設けられ、用紙プレート２４の裏側から上方に付勢するプリング（図示せず）と、給紙側１１とは反対の反給紙側に設けられ、用紙プレート２４を回動可能に支持する支軸２４０とを有し、支軸２４０を中心にして傾動可能に配置されている。また、用紙プレート２４は、給紙トレイ２が本体部１から引き出されたときにはスプリングが押圧されて用紙プレート２４の給紙側１１が下がり、給紙トレイ２が本体部１に収容されたときにはスプリングにより用紙プレート２４の給紙側１１が持ち上げられるように構成された上下機構（図示せず）を備える。
【００４１】
（画像形成装置の動作）
次に、画像形成装置の動作について図５を参照して説明する。ここでは、操作者が、給紙トレイ２に用紙を補充する場合について説明する。
【００４２】
操作者は、補充対象の給紙トレイ２の把手２００を持って画像形成装置１００の本体部１から給紙トレイ２を引き出して、補充する用紙のサイズに合わせて、第１の方向１０Ａにエンドガイド２１を動かすエンドガイド位置操作と、第２の方向１０Ｂにサイドガイド２２Ａ，２２Ｂを動かすサイドガイド位置操作とを行う。
【００４３】
具体的には、操作者は、用紙のサイズよりもエンドガイド２１及びサイドガイド２２Ａ，２２Ｂを広げた後に、用紙プレート２４上に用紙を載せる。次に、操作者は、左側面部２０ｃとエンドガイド２１とで用紙を挟むように、エンドガイド２１を第１の方向１０Ａの左側面部２０ｃ側に動かすエンドガイド移動操作を行うと、エンドガイド２１に取り付けられた連動プレート２３０は、そのエンドガイド移動操作に伴って移動する。
【００４４】
次に、連動プレート２３０が移動すると、その連動プレート２３０の前側側面及び後側側面に設けられたピニオンラック２３１Ａ，２３１Ｂと、筐体２０の底面部２０ｅの前側側面及び後側側面に設けられたピニオンラック２０３Ａ，２０３Ｂとの間でピニオンギア２３２Ａ，２３２Ｂが回転移動し、そのピニオンギア２３２Ａ，２３２Ｂの中心部２３２ａに貫通されたシャフト２３３Ａ，２３３Ｂは、ピニオンギア２３２Ａ，２３２Ｂの回転移動に伴って第１の方向１０Ａに直線移動する。
【００４５】
そして、シャフト２３３Ａ，２３３Ｂに固定された支持プレート２３４は、第１の方向１０Ａに直線移動し、その支持プレート２３４上の一対のサイドガイド２２Ａ，２２Ｂも第１の方向１０Ａに直線移動する。これにより、エンドガイド２１は、用紙の左側に接触する位置に配置されるとともに、サイドガイド２２Ａ，２２Ｂは、用紙の第１の方向１０Ａの中央部を含む位置に配置される。
【００４６】
次に、操作者は、一対のサイドガイド２２Ａ，２２Ｂで用紙を挟むように、例えば、手前側のサイドガイド２２Ａを第２の方向１０Ｂの後側に動かすサイドガイド移動操作を行うと、そのサイドガイド２２Ａの移動が、ピニオンラック２２２及びピニオンギア２２３を介して奥側のサイドガイド２２Ｂに伝達されて、一対のサイドガイド２２Ａ，２２Ｂ間の間隔が狭まる。これにより、一対のサイドガイド２２Ａ，２２Ｂは、用紙の第２の方向１０Ｂの前側及び後側に接触する位置にそれぞれ配置される。
【００４７】
図５（ａ）〜（ｃ）は、本発明の第１の実施の形態に係る給紙トレイに、第１の方向の長さが順に長くなる３種類の用紙をそれぞれ積載したときの給紙トレイを示す概略図である。
【００４８】
エンドガイド２１は、用紙１２Ａ〜１２Ｃの第１の方向１０Ａの長さに応じてエンドガイド移動操作が行われることにより、用紙１２Ａ〜１２Ｃの左側に接触する位置にそれぞれ配置されている。
【００４９】
一対のサイドガイド２２Ａ，２２Ｂは、そのエンドガイド２１の移動に連動して、エンドガイド２１が移動された方向と同一方向に移動機構２３により連動して移動することにより、ガイド部２２０が用紙１２Ａ〜１２Ｃの中央部１２０を含む位置に接触するように配置されている。また、サイドガイド２２Ａ、２２Ｂは、用紙１２Ａ〜１２Ｃの第２の方向１０Ｂの長さに応じてサイドガイド移動操作が行われることにより、用紙１２Ａ〜１２Ｃの前側及び後側に接触する位置に配置されている
【００５０】
図５（ａ）〜（ｃ）に示すように、サイドガイド２２Ａ，２２Ｂが用紙１２Ａ〜１２Ｃの中央部１２０を含む位置に接触するように配置されている状態で画像形成装置１００に給紙トレイ２が挿入されると、その挿入時の衝撃により用紙１２Ａ〜１２Ｃを回転させる方向にモーメントが働くが、用紙１２Ａ〜１２Ｃは、一対のサイドガイド２２Ａ，２２Ｂにより用紙１２Ａ〜１２Ｃの中央部１２０を含む位置によって第２の方向１０Ｂの位置が規制されているので、そのモーメントによる用紙１２Ａ〜１２Ｃの傾きが低減される。
【００５１】
そして、給紙トレイ２内の用紙が、画像形成装置１００に順次供給されると、用紙搬送部により画像形成部に搬送され、画像形成部によりその用紙に画像が印刷された後、排紙部４Ｂに排紙される。
【００５２】
［第２の実施の形態］
本実施の形態に係る画像形成装置１００は、用紙の第１の方向１０Ａの長さに応じて、一対のサイドガイド２２Ａ，２２Ｂの第１の方向１０Ａの長さを延長する給紙トレイ２を備え、その他は第１の実施の形態と同様に構成されている。
【００５３】
図６は、本発明の第２の実施の形態に係る給紙トレイのサイドガイドを示す斜視図である。図６に示す給紙トレイ２において、一対のサイドガイド２２Ａ，２２Ｂは、用紙の第１の方向１０Ａの長さに応じてガイド部２２０を左側面部２０ｃ側に延長する延長部材２２４と、延長部材２２４を左側面部２０ｃ側に付勢する、例えば、スプリング、ウレタンゴム等の弾性部材２２５と、弾性部材２２５が内側に設けられ、延長部材２２４を内側に収容するガイド部２２０と、第１の実施の形態と同様のベース部２２１とをそれぞれ有する。なお、弾性部材２２５は省略してもよく、この場合には、操作者が用紙の第１の方向１０Ａの長さに合わせて延長部材２２４を出し入れすればよい。
【００５４】
また、エンドガイド２１は、サイドガイド２２Ａ，２２Ｂの弾性部材２２５による弾性力によりエンドガイド２１が右側面部２０ｄ側に動かないようにロックするロック機構（図示せず）を有する。なお、給紙トレイ２のその他の構成は、第１の実施の同様に構成されている。
【００５５】
図７（ａ）〜（ｃ）は、本発明の第２の実施の形態に係る給紙トレイに、第１の方向の長さが順に長くなる３種類の用紙をそれぞれ積載したときの積載状態を示す概略図である。一対のサイドガイド２２Ａ，２２Ｂは、そのエンドガイド２１の移動に連動して、ガイド部２２０が用紙１２Ａ〜１２Ｃの中央部１２０を含む位置に接触するように配置されたとき、延長部材２２４は、弾性部材２２５により左側面部２０ｃ側に押し出される。このとき、用紙１２Ａ〜１２Ｃの第１の方向１０Ａの長さが長くなる程、ガイド部２２０と左側面部２０ｃとの間隔は広くなるため、延長部材２２４が弾性部材２２５により押し出される量は大きくなる。
【００５６】
図７（ａ）〜（ｃ）に示すように、サイドガイド２２Ａ，２２Ｂの延長部材２２４によりガイド部２２０と左側面部２０ｃとの間の隙間が、延長部材２２４が設けられていない場合に比較して少ない状態となるので、用紙の第２の方向の位置がさらに規制されるとともに、給紙トレイ２から画像形成装置１００に用紙を供給する際の用紙の第２の方向の位置ずれが低減される。
【００５７】
［他の実施の形態］
なお、本発明は、上記各実施の形態に限定されず、本発明の趣旨を逸脱しない範囲内で種々な変形が可能である。例えば、上記各実施の形態では、給紙トレイが有する筐体の左側面部を給紙側としたが、給紙トレイの右側面部又は後面部を給紙側としてもよい。
【００５８】
また、上記各実施の形態では、給紙トレイが有する筐体の左側面部は、一対の第１の規制部材のうち固定された規制部材として機能するものであるが、筐体の左側面部とは別に規制部材を設けてもよい。
【００５９】
また、上記各実施の形態では、移動機構は、ラックアンドピニオン構造としたが、エンドガイドに連動してサイドガイドを移動させる機構であればこれに限られず、例えば、リンク構造でもよいし、カム構造でもよい。
【符号の説明】
【００６０】
１…本体部、２…給紙トレイ、３…手差しトレイ、４Ａ…排紙トレイ、４Ｂ…排紙部、５…操作表示部、６…ＡＤＦ、１０Ａ…第１の方向、１０Ｂ…第２の方向、１１…給紙側、１２Ａ〜１２Ｃ…用紙、２０…筐体、２０ａ…前面部、２０ｂ…後面部、２０ｃ…左側面部、２０ｄ…右側面部、２０ｅ…底面部、２１…エンドガイド、２２Ａ，２２Ｂ…サイドガイド、２３…移動機構、２４…用紙プレート、６０…原稿トレイ、１００…画像形成装置、１２０…中央部、２００…把手、２０１…凹部、２０２Ａ〜２０２Ｃ…長溝、２０３Ａ，２０３Ｂ…ピニオンラック、２１０…ガイド部、２１１…ベース部、２２０…ガイド部、２２１…ベース部、２２２…ピニオンラック、２２３…ピニオンギア、２２４…延長部材、２２５…弾性部材、２３０…連動プレート、２３０ａ…リブ、２３１Ａ，２３１Ｂ…ピニオンラック、２３２Ａ，２３２Ｂ…ピニオンギア、２３２ａ…中心部、２３３Ａ，２３３Ｂ…シャフト、２３３ａ…Ｅリング、２３４…支持プレート、２４０…支軸
【図１】
2010189085.tif 000003
【図２】
2010189085.tif 000004
【図３】
2010189085.tif 000005
【図４】
2010189085.tif 000006
【図５】
2010189085.tif 000007
【図６】
2010189085.tif 000008
【図７】
2010189085.tif 000009